(57)【要約】【課題】ベルト（弾性帯紐）の端部を引っ張ることにより小形工具の柄に強固に取り付け、確実に把持することができる二重環工具把持具を提供する。【解決手段】弾性帯紐４の先端に第１の環１および第２の環２を係合する環結合輪４−１を有している。環結合輪４−１に係合している第１の環１および第２の環２に対し弾性帯紐４の他端を第２の環２，第１の環１の順で挿通して把持対象の把持輪６を作る。さらに弾性帯紐４の他端を折り返して第２の環２に挿通し、挿通した弾性帯紐４の他端側を引いて把持輪６を締め付けることにより、工具の柄５を把持する。【選択図】図１
0003170055.tif 000002
【実用新案登録請求の範囲】
【請求項１】
弾性帯紐の先端に第１および第２の環を係合する環結合輪を有し、該弾性帯紐の他端を前記第２の環，第１の環の順で挿通して把持対象の把持輪を作り、折り返して前記第２の環に挿通し、該挿通した弾性帯紐の他端側を引いて前記把持輪を締め付けることにより、把持対象を把持することを特徴とする二重環工具把持具。
【請求項２】
前記弾性帯紐の他端に第３の環を係合させ、該第３の環に作業者のベルトなどに結合するためのセーフティコードの接続を可能にしたことを特徴とする請求項１記載の二重環工具把持具。
【請求項３】
前記弾性帯紐の内面に、長手方向に沿って滑り防止部材を塗布したことを特徴とする請求項１または２記載の二重環工具把持具。
【請求項４】
前記把持対象は小形工具の柄であることを特徴とする請求項１，２または３記載の二重環工具把持具。  
【請求項５】
前記弾性帯紐は板状の天然ゴム材であることを特徴とする請求項１，２，３または４記載の二重環工具把持具。  
【考案の詳細な説明】
【技術分野】
【０００１】
本考案は、取り付け孔などが存在しないプライヤ，ペンチ類などの小形工具の柄を把持し、柄を把持したベルトなどの紐を、他の結合紐を介して作業者の身体に取り付けることができる二重環工具把持具に関する。
【背景技術】
【０００２】
バンドで結束し保持するための構造として、結束バンド止め具が提案されている（特許文献１）。
特許文献１は、被結束物を荷造りした後に結束が緩んで荷崩れ等が起こらない結束バンドを開示している。枠体３に２つのバー２，２が固定され、バンド１の一端をバー２の一つに接続してあり、結束対象物の周囲にバンドを回し、バンドの他端をバー２，２の間に挿通し、折り返してバンド上の面ファスナに押し付け止めるものである（符号はその特許文献で用いているものを使用、以下、特許文献２も同様）。
この止め構造は、バンドを引けば引くほど結束が強くなる構造のものではなく、一旦緩むと外れる恐れがある。
【０００３】
また、他の例として釣り具を結束する釣り具用ベルトが提案されている（特許文献２）。
これは釣り場に携行する釣竿を束ねて保持したり、釣り用リールのスプールに巻回された釣り糸が巻き解けないように保持する釣り具用ベルトであり、柔軟性と伸縮性を有するベルト本体２と、このベルト本体２の後端２ｂ側の内面２ｆに設けた止め具３ｂと、ベルト本体２の外面２ｅの前端２ａから後端２ｂにかけて設けた止め具３ａで形成されている。多数の竿Ｒを束ねる場合、前端２ａ側から止め具３ａが上になるように巻き付け、後端２ｂ側に設けた止め具３ｂを止め具３ａの上に押し付けて止めるものである。
ベルト本体２は伸縮性を有しているので、結束すると多数本の釣竿は締めつけられて束ねられるが、その状態は止め具３ａに止め具３ｂが確実に取り付けられていることが条件である。
さらに、工具の柄を把持する構造として、連結具が提案されている（特許文献３）。
これは、工具の柄をコイルバネ材のバネ力によって挟持するものである。
【先行技術文献】
【特許文献】
【０００４】
【特許文献１】特開２０１０−２６０６３４号公報
【特許文献２】特開２００７−１７５０２５号公報
【特許文献３】特開２００８−２８４６３３号公報
【考案の概要】
【考案が解決しようとする課題】
【０００５】
小形工具などを作業者の身体から離れることなく保持するための接続用のベルトの実現が要請されているが、かかる場合は、小形工具の柄に接続用のベルトを取り付ける必要がある。しかしながら、一般的には小形工具の柄は保持用の孔等を開けた構造とはなっていない。したがって、小形工具の柄にベルトの端部を強固に取り付ける必要がある。
【０００６】
取付構造として上記従来例のように種々の構造が存在するが、このような従来構造は、ベルトを引っ張れば、より強固に把持できるものではなく、かつ小形工具の柄に簡易な構成で容易に取り付けるためには不十分である。
本考案は上記状況に鑑みなしたもので、その目的は、ベルト（弾性帯紐）の端部を引っ張ることにより小形工具の柄に強固に取り付け、確実に把持することができる二重環工具把持具を提供することにある。
【課題を解決するための手段】
【０００７】
前記目的を達成するために本考案による請求項１は弾性帯紐の先端に第１および第２の環を係合する環結合輪を有し、該弾性帯紐の他端を前記第２の環，第１の環の順で挿通して把持対象の把持輪を作り、折り返して前記第２の環に挿通し、該挿通した弾性帯紐の他端側を引いて前記把持輪を締め付けることにより、把持対象を把持することを特徴とする。
本考案の請求項２は請求項１記載の考案において前記弾性帯紐の他端に第３の環を係合させ、該第３の環に作業者のベルトなどに結合するためのセーフティコードの接続を可能にしたことを特徴とする。
本考案の請求項３は請求項１または２記載の考案において前記弾性帯紐の内面に、長手方向に沿って滑り防止部材を塗布したことを特徴とする。
本考案の請求項４は請求項１，２または３記載の考案において前記把持対象は小形工具の柄であることを特徴とする。
本考案の請求項５は請求項１，２，３または４記載の考案において前記弾性帯紐は板状の天然ゴム材であることを特徴とする。  
【考案の効果】
【０００８】
上記構成によれば、保持用の孔などを設けた取り付け部のないプライヤやペンチ類の柄に簡易に取り付け、弾性帯紐の他端を引っ張ることにより強固に把持することができる。
したがって、取り付け部を持っていない工具の柄などを弾性帯紐で確実に把持し、弾性帯紐の他端に第３の環を係合させ、この第３の環にセーフティコードを結合させ、セーフティコードの他端を作業者のベルトなどに取り付ければ、落下防止用コードの工具への把持用に本考案による二重環工具把持具を好適に用いることができる。
該二重環工具把持具は把持対象として工具のみに限らず、身体から離すことができない部材や工具以外の道具を把持するのにも利用可能である。
【図面の簡単な説明】
【０００９】
【図１】本考案による二重環工具把持具の実施の形態を示す概略図である。
【図２】環および弾性帯紐の構造を説明するための図である。
【図３】本考案による二重環工具把持具の実施の形態を示す斜視図である。
【図４】本考案による二重環工具把持具の使用例を説明するための図である。
【考案を実施するための形態】
【００１０】
以下、図面を参照して本考案の実施の形態を詳しく説明する。
図１は、本考案による二重環工具把持具の実施の形態を示す概略図である。
ベルトを構成する弾性帯紐４は伸び縮みする板状の天然ゴム材である。弾性帯紐４の先端部４−２は小さい輪を作って弾性帯紐４の内側に糸材で縫い付け固定される。この輪は環結合輪４−１であり、第１の環１と第２の環２を係合して作られる。弾性帯紐４の後端側は第２の環２に挿通され、さらに第１の環１に挿通されることにより把持輪６が形成される。把持輪６には把持対象が挿入され、把持する対象は例えば工具の柄５である。第１の環１を挿通した弾性帯紐４の後端側はさらに折り返されて第２の環２に挿通され、引き出される。
【００１１】
弾性帯紐４の後端側の端部４−４は小さい輪を作って弾性帯紐４の内側に糸材で縫い付けて固定される。この輪は第３環係合輪４−３であり、第３の環３が係合されて作られる。第３の環３には結合紐７が接続され、係合紐７の他端は作業者のベルト８などに結合される。結合紐７は、工具と作業者のベルトの間を例えば伸び縮みする弾性材で結び作業者が手を滑らせて工具を落とした場合でも落下を防止する、セーフティコード機能を持つものである。
【００１２】
図２は環および弾性帯紐の構造を説明するための図である。
（ａ）に示す第１の環１，第２の環２および第３の環３は、Ｄ形状の金属環であり、Ｄ形状の直線部分が弾性帯紐４に主に接触する部分であり、弾性帯紐４との間に摩擦力が生じる。
（ｂ）は図１の二重環工具把持部１０の弾性帯紐４の後端付近の側面図である。
弾性帯紐４の内側に紐に沿って滑り防止部材４ａが塗布されている。滑り防止部材４ａはポリ塩化ビニール材（ＰＶＣ）であり、弾性帯紐４の伸び縮みに対応して同様に伸び縮みする。
滑り防止部材４ａは第２の環２と接触する部分２ａにおいて摩擦力を増強し、弾性帯紐４の第２の環２に対する滑りが減少させられる。また環結合輪４−１を形成する弾性帯紐４の外面に接触する部分４−５（図１参照）においても滑り防止部材４ａとの間で滑りが減少させられる。
【００１３】
図３は本考案による二重環工具把持具の実施の形態を示す斜視図である。
この実施の形態は工具の柄２３が把持輪２６に挿入されて把持される前の状態が示されている。
工具の柄２３の把持はつぎのような操作で行うことができる。
把持輪２６に工具の柄２３を挿入し、弾性帯紐２４の２４ｂ部を矢印２５ｂの方向に引き出すと、弾性帯紐２４の２４ａ部は矢印２５ａの方向に送られ、把持輪２６が小さくなる。把持輪２６の内面側が工具の柄２３の表面に接触し締めつけるまで輪を縮める。
つぎに弾性帯紐２４の２４ｃ部を矢印２５ｃの方向に引くと、引き出された弾性帯紐２４の２４ｂ部は図３の状態で示されているように引っ込み、さらに引くと工具の柄２３は把持輪２６の中でさらに強く締めつけられ、把持が確実となる。
【００１４】
図４は本考案による二重環工具把持具の使用例を説明するための図である。
ニッパ１１の柄１１ａにはポリエステル繊維の被覆素材１２が装着されている。この被覆素材１２の上から二重環工具把持具２０が取り付けられる。ニッパの柄１１ａの表面は滑らかな形状であるが、二重環工具把持具２０はニッパ１１の柄１１ａを確実に把持する。ニッパ１１の重量が加わると、二重環工具把持具２０の弾性帯紐が引っ張られニッパ１１の柄１１ａはさらに強固に把持する方向に締め付けられる。
【産業上の利用可能性】
【００１５】
小形工具の柄などを強固に把持することができる二重環工具把持具であり、セーフティコードの一部として使用し、セーフティコードの機能を発揮させることができる。
【符号の説明】
【００１６】
１  第１の環
２  第２の環
３  第３の環
４  弾性帯紐
５  工具の柄
６  把持輪
７  結合紐
８  作業者のベルト
１０，２０  二重環工具把持具
１１  ニッパ
【図１】
0003170055.tif 000003
【図２】
0003170055.tif 000004
【図３】
0003170055.tif 000005
【図４】
0003170055.tif 000006